(57)【特許請求の範囲】
【請求項１】
多数の演奏曲のうちから選択される演奏曲を出力させると共に、該演奏曲の歌詞文字映像を映像表示装置に表示させるカラオケ装置であって、
所定の入力装置による入力操作に応じて前記カラオケ装置に対する前記演奏曲の選曲入力を受け付ける選曲入力受付手段と、
前記カラオケ装置の利用者毎に各種情報を管理する顧客情報管理手段と、
前記選曲入力受付手段により選曲入力される演奏曲に基づいて、前記顧客情報管理手段に係る各利用者のログイン認証を実行するログイン認証制御手段と
を、備えたことを特徴とするカラオケ装置。
【請求項２】
前記顧客情報管理手段は、前記カラオケ装置の利用者毎に前記演奏曲に関する情報を該利用者と関連付けて記憶するものであり、
前記ログイン認証制御手段は、前記選曲入力受付手段により所定の演奏曲の選曲入力が行われる際、該演奏曲と関連付けられて記憶された利用者のログイン認証を実行するものである請求項１に記載のカラオケ装置。
【請求項３】
前記顧客情報管理手段は、前記カラオケ装置の利用者毎に単数乃至複数の前記演奏曲を十八番曲として記憶するものであり、
前記ログイン認証制御手段は、前記選曲入力受付手段により所定の演奏曲の選曲入力が行われる際、該演奏曲を十八番曲とする利用者のログイン認証を実行するものである請求項２に記載のカラオケ装置。
【請求項４】
前記顧客情報管理手段は、前記カラオケ装置の利用者毎に前記選曲入力受付手段により選曲入力される演奏曲の選曲履歴を記憶するものであり、
前記ログイン認証制御手段は、前記選曲入力受付手段により所定の演奏曲の選曲入力が行われる際、該演奏曲が選曲履歴に含まれる利用者のログイン認証を実行するものである請求項２に記載のカラオケ装置。
【発明の詳細な説明】
【技術分野】
【０００１】
本発明は、多数の演奏曲のうちから選択される演奏曲を出力させるカラオケ装置に関し、特に、そのカラオケ装置を利用する利用者に係る各種情報を管理する顧客情報管理システムの改良に関する。
【背景技術】
【０００２】
多数の演奏曲のうちから選択される演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
前記カラオケ装置を用いたカラオケシステムにおいては、単に個人がカラオケ演奏を楽しむのみならず、仲間内で一緒にカラオケ演奏を行ったり、新たなカラオケ仲間を募ったりというように、利用者相互のコミュニケーションが重要となる。斯かるコミュニケーションを実現するために、前記カラオケ装置の利用者毎に、そのカラオケ装置によるカラオケ演奏に係る情報をはじめとする各種情報を管理する技術が提案されている。例えば、特許文献１に記載された通信カラオケシステムがそれである。この技術によれば、各利用者のカラオケ演奏に関する情報として、演奏曲に関する情報をその利用者の識別情報と関連付けて記憶するデータベースを備え、選曲履歴、十八番曲、演奏評価結果等を各利用者毎に管理することで、通信カラオケシステムを主体とする所謂ソーシャルネットワークサービス（Social Network Service）を実現することができる。
【先行技術文献】
【特許文献】
【０００４】
【特許文献１】特開２００９−７５４５３号公報
【発明の概要】
【発明が解決しようとする課題】
【０００５】
ところで、例えばパブやスナック等の店舗に設置されるカラオケ装置では、前述のような通信カラオケシステムを前提としない態様、すなわち通信回線に接続されない非通信型のカラオケ装置として用いられるものが少なくない。斯かる非通信型のカラオケ装置においても、各利用者がよく演奏する曲を十八番曲として登録したり、来店頻度を確認したりというように、利用者毎に各種情報を管理する顧客情報管理システムの需要があるため、例えば店舗の常連客等、前記カラオケ装置を用いる複数の利用者を対象とする、通信を前提としない（単体のカラオケ装置の中で閉じた）顧客情報管理システムが好適に適用される。このような顧客情報管理システムは、例えばパブやスナック等、固定の常連客が多い店舗に設置されたカラオケ装置において特に有用である。
【０００６】
しかし、前記非通信型のカラオケ装置においては、前述のような顧客情報管理システムを機能的に備えながら、その利用が低調である店舗が多いという不具合があった。例えば、来店する利用者が専ら決まった顔ぶれである店舗に設置されたカラオケ装置においては、店主が自ら顧客のために選曲入力を行うことが一般化しており、各利用者がログイン認証を実行しないままカラオケ演奏が行われることが多かった。ログイン認証を行わない場合、例えば各利用者毎に選曲履歴を蓄積することができない等、前記顧客情報管理システムを十全に活用できない。本発明者等は、そのようにログイン認証が行われない理由のひとつに、利用者の識別情報であるユーザＩＤを入力しなければならない等、そのログイン認証に係る操作の煩雑さがあるものと考えた。斯かる知見に基づき、鋭意研究を継続した一結果として、本発明を為すに至った。
【０００７】
本発明は、以上の事情を背景として為されたものであり、その目的とするところは、利用者に係る各種情報を管理する顧客情報管理システムの利用を促進するカラオケ装置を提供することにある。
【課題を解決するための手段】
【０００８】
斯かる目的を達成するために、本発明の要旨とするところは、多数の演奏曲のうちから選択される演奏曲を出力させると共に、その演奏曲の歌詞文字映像を映像表示装置に表示させるカラオケ装置であって、所定の入力装置による入力操作に応じて前記カラオケ装置に対する前記演奏曲の選曲入力を受け付ける選曲入力受付手段と、前記カラオケ装置の利用者毎に各種情報を管理する顧客情報管理手段と、前記選曲入力受付手段により選曲入力される演奏曲に基づいて、前記顧客情報管理手段に係る各利用者のログイン認証を実行するログイン認証制御手段とを、備えたことを特徴とするものである。
【発明の効果】
【０００９】
このようにすれば、所定の入力装置による入力操作に応じて前記カラオケ装置に対する前記演奏曲の選曲入力を受け付ける選曲入力受付手段と、前記カラオケ装置の利用者毎に各種情報を管理する顧客情報管理手段と、前記選曲入力受付手段により選曲入力される演奏曲に基づいて、前記顧客情報管理手段に係る各利用者のログイン認証を実行するログイン認証制御手段とを、備えたものであることから、所定の演奏曲の選曲入力が行われる際に、その演奏曲に対応する利用者のログイン認証を自動的に行うことで、各利用者を簡便に顧客情報管理システムにログインさせることができる。すなわち、利用者に係る各種情報を管理する顧客情報管理システムの利用を促進するカラオケ装置を提供することができる。
【００１０】
ここで、好適には、前記顧客情報管理手段は、前記カラオケ装置の利用者毎に前記演奏曲に関する情報をその利用者と関連付けて記憶するものであり、前記ログイン認証制御手段は、前記選曲入力受付手段により所定の演奏曲の選曲入力が行われる際、その演奏曲と関連付けられて記憶された利用者のログイン認証を実行するものである。このようにすれば、所定の演奏曲の選曲入力が行われる際に、その演奏曲と関連付けられて記憶された利用者のログイン認証を自動的に行うことで、簡便且つ実用的な態様で各利用者を顧客情報管理システムにログインさせることができる。
【００１１】
また、好適には、前記顧客情報管理手段は、前記カラオケ装置の利用者毎に単数乃至複数の前記演奏曲を十八番曲として記憶するものであり、前記ログイン認証制御手段は、前記選曲入力受付手段により所定の演奏曲の選曲入力が行われる際、その演奏曲を十八番曲とする利用者のログイン認証を実行するものである。このようにすれば、所定の演奏曲の選曲入力が行われる際に、その演奏曲を十八番曲として登録している利用者のログイン認証を自動的に行うことで、簡便且つ実用的な態様で各利用者を顧客情報管理システムにログインさせることができる。
【００１２】
また、好適には、前記顧客情報管理手段は、前記カラオケ装置の利用者毎に前記選曲入力受付手段により選曲入力される演奏曲の選曲履歴を記憶するものであり、前記ログイン認証制御手段は、前記選曲入力受付手段により所定の演奏曲の選曲入力が行われる際、その演奏曲が選曲履歴に含まれる利用者のログイン認証を実行するものである。このようにすれば、所定の演奏曲の選曲入力が行われる際に、その演奏曲を過去に演奏したことがある利用者のログイン認証を自動的に行うことで、簡便且つ実用的な態様で各利用者を顧客情報管理システムにログインさせることができる。
【図面の簡単な説明】
【００１３】
【図１】本発明の一実施例であるカラオケ装置の構成を例示するブロック線図である。
【図２】図１のカラオケ装置におけるコマンダ本体に設けられたタッチパネルディスプレイについて説明する図である。
【図３】図１のカラオケ装置に備えられた電子早見本装置の外観を大まかに示す斜視図である。
【図４】図３の電子早見本装置の構成を説明するブロック線図である。
【図５】図１のカラオケ装置のＣＰＵに備えられた制御機能の要部を説明する機能ブロック線図である。
【図６】図４の電子早見本装置に表示されるママＶＩＰメニュー画面の一例を示す図である。
【図７】図４の電子早見本装置に表示されるママ十八番画面の一例を示す図である。
【図８】図４の電子早見本装置に表示される歌う人選択画面の一例を示す図である。
【図９】図４の電子早見本装置に表示されるログイン認証画面の一例を示す図である。
【図１０】図４の電子早見本装置に表示されるパスワード入力画面の一例を示す図である。
【図１１】図４の電子早見本装置に表示されるログイン認証確認画面の一例を示す図である。
【図１２】図４の電子早見本装置に表示される演奏曲検索画面の一例を示す図である。
【図１３】図４の電子早見本装置に表示される予約確認画面の一例を示す図である。
【図１４】図４の電子早見本装置に表示される新規常連登録画面の一例を示す図である。
【図１５】図４の電子早見本装置に表示される新規常連登録確認画面の一例を示す図である。
【図１６】図４の電子早見本装置に表示される新規常連登録完了画面の一例を示す図である。
【図１７】図４の電子早見本装置に表示される予約完了画面の一例を示す図である。
【図１８】図４の電子早見本装置のＣＰＵによる顧客情報管理制御の一例の要部を説明するフローチャートである。
【発明を実施するための形態】
【００１４】
以下、本発明の好適な実施例を図面に基づいて詳細に説明する。
【実施例】
【００１５】
図１は、本発明の一実施例であるカラオケ装置１０の構成を例示するブロック線図である。この図１に示すように、本実施例のカラオケ装置１０は、ＴＦＴ（Thin Film Transistor Liquid Crystal）やＰＤＰ（Plasma Display Panel）等の映像表示装置１２と、ビデオボード（グラフィックスボード）等の映像出力制御部１４と、映像情報デコーダ１６と、ビデオミキサ１８と、音源であるシンセサイザ２０と、音声入力装置であるマイクロフォン２２と、アンプミキサ２４と、スピーカ２６と、操作パネル２８と、その操作パネル２８等からの入力信号を処理する入出力インターフェイス３０と、中央演算処理装置であるＣＰＵ３２と、読出専用メモリであるＲＯＭ３４と、随時書込読出メモリであるＲＡＭ３６と、記憶装置であるハードディスク３８と、前記電子早見本装置６０やリモコン装置５０等の入力装置からのリモコン信号を受信するためのリモコン受信部４０と、ＬＡＮポート４２とを、備えて構成されている。
【００１６】
前記カラオケ装置１０の利用に際して、好適には、そのカラオケ装置１０の利用に係る各利用者（グループ）毎に１台乃至数台ずつの電子早見本装置６０が貸与され、前記カラオケ装置１０が設置された個室等においてそのカラオケ装置１０との間で対応付け処理が行われることで、そのカラオケ装置１０の遠隔操作装置として用いられるようになっている。また、図１に示すように、好適には、前記カラオケ装置１０が設置された店舗等には、そのカラオケ装置１０と他の機器とを接続するＬＡＮ５２が敷設されており、後述する選曲入力をはじめとする前記電子早見本装置６０から前記カラオケ装置１０への入力は、好適には、所定のアクセスポイント５４及びＬＡＮ５２を介したＬＡＮ通信等により行われる。
【００１７】
前記映像出力制御部１４は、前記ＣＰＵ３２において生成された歌詞文字映像等の文字映像（テロップ）を出力する文字映像出力装置として機能する他、前記映像表示装置１２による種々の映像表示を制御する表示制御装置である。また、前記映像情報デコーダ１６は、利用者が歌詞を参照しながら歌唱する際に前記ハードディスク３８に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ１６により再生された背景映像は、前記ビデオミキサ１８へ送られる。また、そのビデオミキサ１８は、前記ＣＰＵ３２において生成され且つ前記映像出力制御部１４から出力される文字映像と、前記映像情報デコーダ１６により再生される背景映像とを合成して前記映像表示装置１２に表示させる映像合成装置である。
【００１８】
前記シンセサイザ２０は、前記ハードディスク３８から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ２０により生成された音楽信号は、アナログ信号に変換されて前記アンプミキサ２４へ送られる。そのアンプミキサ２４では、送られてきた音楽信号と前記マイクロフォン２２を介して入力される利用者（演奏者）の歌声とがミキシングされ、それらの信号が電気的に増幅されて前記スピーカ２６から出力される。
【００１９】
前記操作パネル２８は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、好適には、前記カラオケ装置１０には、前記操作パネル２８の一部機能を遠隔で実行するための入力装置として機能するリモコン装置５０が備えられており、前記リモコン受信部４０は、そのリモコン装置５０から送信されるリモコン信号を受信して前記ＣＰＵ３２へ供給する。また、前記カラオケ装置１０と電子早見本装置６０との対応付け（くくりつけ）処理も前記リモコン受信部４０を介して行われ、そのようにして前記カラオケ装置１０に対応付けられた電子早見本装置６０も同様に入力装置として機能する。なお、本実施例においては、前記カラオケ装置１０に備えられたリモコン装置５０や対応付け処理の行われた電子早見本装置６０等の入力装置もそのカラオケ装置１０の一部を構成するものであるとして以下の説明を行う。
【００２０】
また、前記カラオケ装置１０は、例えば図２に示すように、前記ＣＰＵ３２やシンセサイザ２０等を格納するコマンダ本体４４にタッチパネルディスプレイ４６を備えたものであってもよい。このタッチパネルディスプレイ４６は、画像（映像）を表示させると共に利用者の接触に応じて前記カラオケ装置１０への入力を行うものであり、好適には、前記コマンダ本体４４における表側の平面部（カラオケボックス等に設置される場合に、利用者側とされる面）に設けられる。斯かる態様において、前記タッチパネルディスプレイ４６は、前記映像表示装置１２とは別に第２の映像表示装置として機能すると共に、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作パネルとして機能する。図２に示す例では、前記タッチパネルディスプレイ４６にそれぞれ個別の文字（例えば、五十音の文字やアルファベット等）を示す複数の文字ボタン４８が表示された状態を示している。このタッチパネルディスプレイ４６に表示された文字ボタン４８（タッチパネルにおける文字ボタン４８に対応する相対位置）に対する利用者の指や備え付けのペン等による接触操作が行われると、それら文字ボタン４８によって示される文字乃至文字列の入力が行われる。そして、斯かる操作により入力された文字乃至文字列に基づいて、それらの文字乃至文字列に前方一致する歌手名乃至曲名が検索される等、前記カラオケ装置１０の利用者が歌いたいカラオケ演奏曲の検索乃至選曲入力が前記タッチパネルディスプレイ４６を介して行われる。
【００２１】
前記ＣＰＵ３２は、前記ＲＡＭ３６の一時記憶機能を利用しつつ前記ＲＯＭ３４に予め記憶された所定のプログラムに基づいて電子情報を処理・制御する所謂マイクロコンピュータであり、前記カラオケ装置１０に係る各種制御を実行する。すなわち、前記電子早見本装置６０やタッチパネルディスプレイ４６等により所定のカラオケ演奏曲が選曲された場合、その選曲されたカラオケ演奏曲を前記ＲＡＭ３６に設けられた予約曲テーブルに登録する選曲予約制御、その予約曲テーブルの演奏順に従って前記ハードディスク３８から前記ＲＡＭ３６に選曲されたカラオケ演奏曲の演奏情報及び歌詞情報（楽曲データ）を読み出す楽曲データ読出制御、カラオケ演奏曲の演奏が進行するのに応じてそのＲＡＭ３６から前記シンセサイザ２０へ演奏情報を送信する演奏出力制御、その演奏出力制御に際して前記ＲＡＭ３６に展開された歌詞情報に基づいて歌詞文字映像を生成して前記映像出力制御部１４へ送信する歌詞文字映像出力制御、前記演奏出力制御に際して前記映像情報デコーダ１６を制御して所定の背景映像を再生させる背景映像出力制御、カラオケ演奏が行われていない間すなわち曲間において、新譜情報、選曲ランキング、及び店舗広告等の曲間情報を出力させる曲間情報出力制御等の基本的な制御に加えて、後述する本実施例の顧客情報管理制御を実行する。
【００２２】
前記ＬＡＮポート４２は、前記カラオケ装置１０をＬＡＮ５２を介して前記電子早見本装置６０をはじめとする他の機器に接続するための接続器であり、前記カラオケ装置１０は、そのようにＬＡＮ５２を介して接続されることで、前記電子早見本装置６０等の他の機器との間で情報の送受信が可能とされる。例えば、前記アクセスポイント５４を介して受信される前記電子早見本装置６０からの選曲入力を受け付けて前記ＲＡＭ３６に設けられた予約曲テーブルに記憶したり、そのアクセスポイント５４を介して前記カラオケ装置１０から電子早見本装置６０へ所定の情報を送信したりというように、電波を介して前記カラオケ装置１０と電子早見本装置６０との間における相互の情報のやりとりが実行される。
【００２３】
前記ハードディスク３８には、カラオケ演奏曲を出力させるための多数の楽曲データ（カラオケ情報）を記憶する楽曲データベース５６及び前記カラオケ装置１０の利用者毎に各種情報をその利用者と関連付けて記憶する顧客データベース５８（図５を参照）をはじめとする各種データベースが設けられている。前記楽曲データベース５６は、前記カラオケ装置１０により出力可能な演奏曲にそれぞれ対応する多数（例えば、数万曲分）の楽曲データ（カラオケデータ）を記憶する。この楽曲データは、前記シンセサイザ２０により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各演奏曲に固有の選曲番号により識別される。また、前記楽曲データには、その演奏曲の曲名、アーティスト名（歌手名）、発表年月日、ジャンル、曲調等の情報が関連づけられて記憶されている。ここで、好適には、新たな演奏曲に対応する楽曲データが作成された場合、その楽曲データが前記楽曲データベース５６に追加して記憶される。例えば、カラオケサービス提供会社の職員が各店舗を訪問し、新たな楽曲データを記憶した記憶媒体を図示しない接続部を介して前記カラオケ装置１０に接続することで、その楽曲データを前記ハードディスク３８における楽曲データベース５６に記憶（更新）させる。或いは、新たな楽曲データを取得するために前記カラオケ装置１０をインターネット等の通信回線に接続し、その通信回線を介して図示しないカラオケサービス提供会社のサーバ装置（ホスト装置）からその楽曲データをダウンロードして前記楽曲データベース５６の内容を更新する等の態様も考えられる。
【００２４】
前記顧客データベース５８は、前記カラオケ装置１０の利用者に係る各種情報を記憶する。例えば、前記カラオケ装置１０を利用する各利用者毎の、そのカラオケ装置１０を用いたカラオケ演奏に関する情報を、その利用者の識別情報（ユーザＩＤ）と対応付けて記憶する。具体的には、ユーザＩＤにより識別される各利用者毎に、名前（ニックネーム）、生年月日、年齢、性別、メールアドレス、住所、電話番号、血液型、星座、ログイン認証に用いられるパスワード、パスワードを忘れたときのための質問及び解答、及びボトルキープに関する情報等が、各利用者のユーザＩＤと対応付けられて記憶される。また、好適には、前記顧客データベース５８には、各利用者の前記カラオケ装置１０を用いたカラオケ演奏に関する情報として、例えばその利用者が前記カラオケ装置１０によるカラオケ演奏に関して登録した十八番曲（簡易な操作により選曲入力を行い得るように設定された単数乃至複数の演奏曲）に関する情報、その利用者が過去に前記カラオケ装置１０によるカラオケ演奏において選曲した選曲履歴（カラオケ装置１０において過去に選曲された単数乃至複数の演奏曲の履歴）に関する情報、及びその利用者が前記カラオケ装置１０によるカラオケ演奏において過去に行った演奏評価の評価結果に関する情報等が、各利用者のユーザＩＤと対応付けられて記憶される。
【００２５】
図３は、前記電子早見本装置６０の外観を大まかに示す斜視図である。この図３に示すように、前記電子早見本装置６０は、所定の画像（映像）を表示させると共に、利用者の接触に応じて入力を行うためのタッチパネルディスプレイ６４を備えている。また、前記カラオケ装置１０との間でデータの送受信や同期を実行したり、前記電子早見本装置６０に内蔵されたバッテリを充電する等の動作を行うスタンド型の接続架台（ドッキングテーブル）であるクレイドル６２を備えている。前記電子早見本装置６０は、そのクレイドル６２に取り付けられた状態又はそのクレイドル６２から取り外された状態で用いられ、取り付けられた状態においては、そのクレイドル６２及び前記ＬＡＮ５２を介して前記カラオケ装置１０に有線接続されるようになっている。また、前記クレイドル６２から取り外された状態においては、前記アクセスポイント５４及びＬＡＮ５２を介して前記カラオケ装置１０に無線接続されるようになっている。
【００２６】
図４は、前記電子早見本装置６０の構成を説明するブロック線図である。この図４に示すように、前記電子早見本装置６０は、前記タッチパネルディスプレイ６４に所定の映像を表示させる表示装置６６と、その表示装置６６による表示を制御する表示制御部６８と、利用者の指や図示しない備え付けのペン等によるタッチパネルディスプレイ６４への接触により入力を行うタッチパネル７０と、そのタッチパネル７０による入力を制御する入力制御部７２と、中央演算処理装置であるＣＰＵ７４と、読出専用メモリであるＲＯＭ７６と、随時書込読出メモリであるＲＡＭ７８と、フラッシュＲＯＭ等の記憶部８０と、インターフェイス８２と、リモコン送信部８４と、無線ＬＡＮ通信部８６と、前記クレイドル６２と電気的な接続を可能とするためのコネクタ８８ａとを、備えて構成されている。前記クレイドル６２には、斯かる電子早見本装置６０と電気的な接続を可能とするためのコネクタ８８ｂが設けられており、前記電子早見本装置６０は、前記クレイドル６２に載置されて前記コネクタ８８ａ及び８８ｂが相互に接触させられることで、前記インターフェイス８２を介して前記クレイドル６２乃至はＬＡＮ５２に接続されるようになっている。
【００２７】
図５は、前記カラオケ装置１０のＣＰＵ３２に備えられた制御機能の要部を説明する機能ブロック線図である。この図５に示す選曲入力受付手段９０、顧客情報管理手段９２、及びログイン認証制御手段９４は、好適には、何れも前記カラオケ装置１０のＣＰＵ３２に機能的に備えられたものであるが、これらの制御機能の一部乃至全部が前記電子早見本装置６０のＣＰＵ７４に備えられたものであってもよい。例えば、前記ログイン認証制御手段９４は、前記電子早見本装置６０のＣＰＵ７４に好適に備えられる。また、以下の説明においては、前記電子早見本装置６０を入力装置として用いる態様について説明するが、例えば、前記コマンダ本体４４に備えられたタッチパネルディスプレイ４６を入力装置として用いる態様も当然に考えられる。すなわち、以下の説明に用いる図６〜図１７に示す画面表示及びその画面表示に従っての入力操作は、前記タッチパネルディスプレイ４６を入力装置として用いる態様においても同様に適用されるものである。
【００２８】
前記選曲入力受付手段９０は、所定の入力装置による入力操作に応じて前記カラオケ装置１０に対する前記演奏曲の選曲入力を受け付ける。すなわち、前記多数の演奏曲のうちから所定の演奏曲を選択して予約するための選曲入力を受け付ける。例えば、前記電子早見本装置６０のタッチパネルディスプレイ６４に対する利用者の接触入力操作に応じて、前記カラオケ装置１０の楽曲データベース５６に記憶された多数の演奏曲から選択される所定の演奏曲を、演奏待ち曲として前記カラオケ装置１０のＲＡＭ３６等に記憶する選曲入力を受け付ける。好適には、後述するログイン認証制御手段９４により各利用者のログイン認証が行われた場合には、選曲入力に係る演奏曲の選曲番号を選曲を行った利用者（選曲主体）の識別情報と関連付けて記憶する。この選曲入力は、例えば対象となる演奏曲の識別情報である選曲番号が前記電子早見本装置６０等の入力装置から前記カラオケ装置１０へ送信されることにより実行される。その選曲番号を受信した前記カラオケ装置１０では、入力された選曲番号が例えば前記ＲＡＭ３６における予約曲テーブルに入力順に記憶される。
【００２９】
前記顧客情報管理手段９２は、前記カラオケ装置１０の利用者毎に各種情報を管理する。具体的には、前記カラオケ装置１０を用いたカラオケ演奏に関する利用者毎の情報を前記顧客データベース５８に記憶させる。また、入力装置による操作に応じて、その顧客データベース５８に記憶された各種情報に対応する画面（映像）を表示させる等の制御を行う。好適には、前記カラオケ装置１０において出力可能な演奏曲に関する情報、すなわち前記楽曲データベース５６に記憶された演奏曲（楽曲データ）に関する情報を、各利用者の識別情報であるユーザＩＤと関連付けて前記顧客データベース５８に記憶する。好適には、前記電子早見本装置６０による操作に応じて、各利用者毎に十八番曲すなわち簡易な操作により選曲入力を行い得るように設定される単数乃至複数の演奏曲を、各利用者のユーザＩＤと関連付けて前記顧客データベース５８に記憶する。また、好適には、例えば前記選曲入力受付手段９０により選曲入力が行われる毎に、選曲入力された演奏曲の選曲履歴を、その選曲入力の主体である利用者のユーザＩＤと関連付けて前記顧客データベース５８に記憶する。また、好適には、前記カラオケ装置１０によるカラオケ演奏に係る演奏評価の評価結果に関する情報を、その演奏評価に係るカラオケ演奏の主体である利用者のユーザＩＤと関連付けて前記顧客データベース５８に記憶する。また、好適には、前記電子早見本装置６０による操作に応じて、各利用者のボトルキープに関する情報等を、その利用者のユーザＩＤと関連付けて前記顧客データベース５８に記憶する。また、後述する図６〜図１７等に示すように、前記電子早見本装置６０による操作に応じて、前記顧客データベース５８に記憶された各種情報に対応する画面（映像）をその電子早見本装置６０のタッチパネルディスプレイ６４に表示させる
【００３０】
前記ログイン認証制御手段９４は、前記顧客情報管理手段９２に係る各利用者のログイン認証を実行する。すなわち、前記電子早見本装置６０のタッチパネルディスプレイ６４等により入力される識別情報（ユーザＩＤ）に応じて前記カラオケ装置１０の利用者を認証し、その認証が正常に行われた場合にはその識別情報をもってその利用者のログインを許可する。また、各利用者の識別情報を記憶した非接触ＩＣチップ（無線タグ）乃至その非接触ＩＣチップを内蔵する携帯電話機等を各利用者が所持する態様において、所定の読取装置によりその非接触ＩＣチップの記憶内容を読み取ることで各利用者の認証を行うものであってもよい。ここで、ログインが許可された状態とは、各利用者に対応して前記カラオケ装置１０に係る個別の制御乃至情報の記憶等が可能とされた状態である。例えば、ログインが許可された状態においては、前記電子早見本装置６０による選曲操作において操作主体である利用者の切り替えを行うことができ、選曲入力主体である利用者を特定して選曲入力を行うことができる。すなわち、前記ＲＡＭ３６等の予約曲テーブルに、選曲主体（演奏主体）である利用者と関連付けて選曲予約を行うことができる。また、前記カラオケ装置１０による選曲履歴を各利用者毎に前記顧客データベース５８に記憶（蓄積）できる。また、各利用者に対応して前記顧客データベース５８に十八番曲やボトルキープに関する情報等を記憶させることができる。
【００３１】
前記ログイン認証制御手段９４は、具体的には、前記電子早見本装置６０のタッチパネルディスプレイ６４等により識別情報であるユーザＩＤ及びパスワードが入力された場合、そのユーザＩＤに対応付けられて前記顧客データベース５８に記憶されたパスワードが入力されたものと一致するか否かを判定し、一致する場合には正常な認証を行う一方、一致しない場合にはエラーとする。なお、前記ログイン認証制御手段９４は、入力装置である前記電子早見本装置６０のＣＰＵ７４に備えられたものであってもよく、実質的な認証はその電子早見本装置６０側で行うものであっても構わない。
【００３２】
また、本実施例において、前記ログイン認証制御手段９４は、前記選曲入力受付手段９０により選曲入力される演奏曲に基づいて、前記顧客情報管理手段９２に係る各利用者のログイン認証を実行する。好適には、前記選曲入力受付手段９０により所定の演奏曲の選曲入力が行われる際、その演奏曲と関連付けられて前記顧客データベース５８に記憶された利用者のログイン認証を実行する。換言すれば、前記選曲入力受付手段９０による選曲入力の受付を条件として、その選曲入力に係る演奏曲と関連付けられて前記顧客データベース５８に記憶された利用者のログイン認証を実行する。
【００３３】
前記ログイン認証制御手段９４は、好適には、前記選曲入力受付手段９０により所定の演奏曲の選曲入力が行われる際、その演奏曲を十八番曲とする利用者のログイン認証を実行する。すなわち、前記選曲入力受付手段９０により所定の演奏曲の選曲入力が行われる際、各利用者に対応して前記顧客データベース５８に記憶（登録）された十八番曲を参照し、選曲入力に係る演奏曲を十八番曲として登録している利用者を検索してその利用者のログイン認証を実行する。また、前記ログイン認証制御手段９４は、好適には、前記選曲入力受付手段９０により所定の演奏曲の選曲入力が行われる際、その演奏曲が選曲履歴に含まれる利用者のログイン認証を実行する。すなわち、前記選曲入力受付手段９０により所定の演奏曲の選曲入力が行われる際、各利用者に対応して前記顧客データベース５８に記憶（登録）された選曲履歴を参照し、選曲入力に係る演奏曲が選曲履歴に含まれる（過去に一度でも演奏したことがある）利用者を検索してその利用者のログイン認証を実行する。また、好適には、前記選曲入力受付手段９０により所定の演奏曲の選曲入力が行われる際、その演奏曲が選曲履歴に規定回数分以上含まれる利用者のログイン認証を実行する。すなわち、前記選曲入力受付手段９０により所定の演奏曲の選曲入力が行われる際、各利用者に対応して前記顧客データベース５８に記憶（登録）された選曲履歴を参照し、選曲入力に係る演奏曲が選曲履歴に規定回数分以上含まれる（過去に規定回数以上演奏したことがある）利用者を検索してその利用者のログイン認証を実行する。
【００３４】
前記ログイン認証制御手段９４は、好適には、対象となる利用者のログイン認証を行うためのログイン認証画面（後述する図９等を参照）を前記タッチパネルディスプレイ６４に表示させる。このログイン認証画面においては、前記タッチパネル７０等を介してパスワードの入力が受け付けられると共に所定の操作が行われることで、前記対象となる利用者のログイン認証制御が行われる。すなわち、前記選曲入力受付手段９０により選曲入力された演奏曲に基づく前記顧客データベース５８の検索結果から、ログイン認証の対象となる利用者のユーザＩＤが判別可能であるため、前記ログイン認証画面において、好適には、ログイン認証の対象となる利用者のユーザＩＤの入力が省略され（すなわち、既に入力された扱いとなっており）、利用者はパスワードを入力するだけでログイン認証が可能とされる。なお、前記選曲入力受付手段９０により選曲入力された演奏曲に基づいて検索される利用者が、その選曲入力段階で既にログインしている場合には、重ねてログイン認証を行う必要がないため、前記ログイン認証制御手段９４による前記ログイン認証制御を行わない。すなわち、前記ログイン認証制御手段９４により既に正常にログインされている利用者に関しては、前記選曲入力時におけるログイン認証制御を非実行とする。
【００３５】
以下、本実施例のログイン認証制御に係る前記電子早見本装置６０におけるタッチパネルディスプレイ６４の画面表示及びその画面表示に従っての入力操作の具体例を、図６〜図１７を用いて説明する。なお、本実施例においては、前記電子早見本装置６０を入力装置とする制御について説明するが、以下の説明に用いる図６〜図１７に示す画面表示及びその画面表示に従っての入力操作は、前記コマンダ本体４４に設けられた前記タッチパネルディスプレイ４６を入力装置として用いる態様、或いは携帯電話機特にタッチパネルディスプレイを備えた所謂スマートフォンを入力装置として用いる態様においても同様に適用されるものである。
【００３６】
図６は、前記タッチパネルディスプレイ６４に表示されるママＶＩＰメニュー画面１００の一例を示す図である。この図６に示すママＶＩＰメニュー画面１００は、前記顧客データベース５８を主要な構成要素とする顧客情報管理システムのメインメニューに相当するものであり、顧客情報の新規登録（新しい利用者の登録）を行うための新規常連登録ボタン１０２、顧客情報の変更乃至削除を行うための顧客情報変更・削除ボタン１０４、十八番曲に関する各種操作を行うための十八番曲ボタン１０６、後述するママ十八番画面（後述する図７等を参照）を表示させるためのママ十八番ボタン１０８、前記カラオケ装置１０による複数の利用者を対象とするカラオケ大会（例えば、所定期間内の演奏評価結果を競う企画）に関する各種操作を行うためのカラオケ大会ボタン１１０、前記カラオケ装置１０における例えば曲間（演奏曲の出力が行われていない間）に出力される映像であるＪＳギャラリーに関する各種操作を行うためのＪＳギャラリーボタン１１２、前記カラオケ装置１０において出力可能な演奏曲の検索を行ううたぼんに関する各種操作を行うためのうたぼんボタン１１４、前記カラオケ装置１０によるカラオケ演奏に係る音程、テンポ、音量等、音設定に関する各種操作を行うための音設定ボタン１１６、利用者の退店処理を行うための退店ボタン１１８、及び現時点において前記タッチパネルディスプレイ６４に表示されている画面の前にそのタッチパネルディスプレイ６４に表示されていた前画面を再度表示させる（前画面に戻る）ための戻るボタン１２０（図７〜図１７において同じ）が表示されている。このタッチパネルディスプレイ６４に表示された各ボタン（タッチパネル７０における各ボタンに対応する相対位置）に対する利用者の指や備え付けのペン等による接触操作が行われると、各ボタンによって示される内容の操作が行われる。なお、以下の実施例においては、前記ママ十八番ボタン１０８に対する接触操作が行われた場合の制御を図７〜図１１を用いて、前記うたぼんボタン１１４に対する接触操作が行われた場合の制御を図１２及び図１３等を用いて、前記新規常連登録ボタン１０２に対する接触操作が行われた場合の制御を図１４〜図１６を用いて、それぞれ説明する。
【００３７】
図７は、図６に示すママＶＩＰメニュー画面１００において前記ママ十八番ボタン１０８に対する接触操作が行われた場合に前記タッチパネルディスプレイ６４に表示されるママ十八番画面１２２の一例を示す図である。この図７に示すように、前記ママ十八番画面１２２においては、例えば、前記カラオケ装置１０が設置された店舗における店主乃至店員が選曲入力を行う上で簡便に入力可能とされた単数乃至複数（図７では５曲分）の演奏曲すなわちママ十八番曲として登録された曲をそれぞれ示す演奏曲ボタン１２４ａ〜１２４ｅ（以下、特に区別しない場合には単に演奏曲ボタン１２４という）が選択可能に表示される。このママ十八番曲とは、前記タッチパネルディスプレイ６４等の操作に応じて店主乃至店員等により個別に設定されるものであってもよいが、好適には、前記顧客データベース５８に登録されている全利用者の十八番曲及び選曲履歴に含まれる演奏曲の一部乃至全部が前記ママ十八番曲に該当する。すなわち、前記ママ十八番画面１２２には、好適には、前記顧客データベース５８に登録されている全利用者の十八番曲及び選曲履歴に含まれる演奏曲の一部乃至全部に対応する演奏曲ボタン１２４が選択可能に表示される。また、好適には、前記顧客データベース５８に登録されている全利用者の十八番曲が前記ママ十八番曲に該当する。すなわち、前記ママ十八番画面１２２には、好適には、前記顧客データベース５８に登録されている全利用者の十八番曲に対応する演奏曲ボタン１２４が選択可能に表示される。また、好適には、前記顧客データベース５８に登録されている各利用者が前記カラオケ装置１０において最初（例えばログイン後の最初）に歌う傾向にある演奏曲（選曲履歴において各利用機会の最初に歌った回数が最も多い演奏曲）が前記ママ十八番曲に該当する。すなわち、前記ママ十八番画面１２２には、好適には、前記顧客データベース５８に登録されている各利用者の選曲履歴から割り出される、各利用者が前記カラオケ装置１０において最初に歌う傾向にある演奏曲に対応する演奏曲ボタン１２４が選択可能に表示される。また、好適には、図７に示すように、前記ママ十八番画面１２２に表示される演奏曲ボタン１２４の曲名の頭文字に係る五十音順のリストを五十音各行に対応して切り替えるリスト切替ボタン１２６と、ページで切り替えるページ切替ボタン１２８とが表示され、これらのボタンに対する接触操作に応じて前記ママ十八番画面１２２に表示される演奏曲ボタン１２４が切り替えられる。更に、前記ママ十八番画面１２２に表示される演奏曲ボタン１２４の並び順を五十音順ではなく人気順、例えば前記顧客データベース５８に登録された全利用者の選曲履歴において選曲入力（演奏）が行われた回数が多い順に並べるものであってもよい。
【００３８】
図８は、図７に示すママ十八番画面１２２等において所定の演奏曲に対応する演奏曲ボタン１２４に対する接触操作が行われた場合に前記タッチパネルディスプレイ６４に表示される歌う人選択画面１３０の一例を示す図である。図７に示すママ十八番画面１２２に表示された所定の演奏曲ボタン１２４に対する接触操作が行われた場合、前記顧客データベース５８においてその演奏曲ボタン１２４に対応する演奏曲を十八番曲とする利用者及びその演奏曲を選曲履歴に含む利用者が検索され、その検索結果に基づいて図８に示すような歌う人選択画面１３０が前記タッチパネルディスプレイ６４に表示される。すなわち、前記演奏曲ボタン１２４に対応する演奏曲を十八番曲とする単数乃至複数の利用者それぞれに対応する利用者ボタン１３２ａ〜１３２ｅを含む十八番利用者リスト１３４と、前記演奏曲ボタン１２４に対応する演奏曲を選曲履歴に含む単数乃至複数の利用者それぞれに対応する利用者ボタン１３２ｆ〜１３２ｊ（以下、利用者ボタン１３２ａ〜１３２ｊを特に区別しない場合には単に利用者ボタン１３２という）を含む既選曲利用者リスト１３６とが、前記歌う人選択画面１３０に表示される。各リスト１３４乃至１３６に含まれる何れかの利用者ボタン１３２に対する接触操作が行われた場合、図７に示すママ十八番画面１２２において選択された演奏曲ボタン１２４に対応する演奏曲の選曲予約が前記カラオケ装置１０に対して送信されると共に、図８に示す歌う人選択画面１３０において選択された利用者ボタン１３２に対応する利用者が選曲入力に係る演奏曲の選曲主体として前記カラオケ装置１０へ送信され、前記ＲＡＭ３６等の予約曲テーブルに選曲入力に係る演奏曲と選曲主体である利用者とが関連付けられて記憶される。また、好適には、図８に示すように、前記歌う人選択画面１３０に表示される利用者ボタン１３２の表示を各利用者の名前（ニックネーム）の頭文字に係る五十各行に対応して切り替えるリスト切替ボタン１３８と、ページで切り替えるページ切替ボタン１４０とが表示され、これらのボタンに対する接触操作に応じて前記歌う人選択画面１３０に表示される利用者ボタン１３２が切り替えられる。
【００３９】
図９は、前記カラオケ装置１０に対して選曲入力が行われた場合であって、その選曲入力の主体である利用者が未だ前記カラオケ装置１０における顧客情報管理システムにログインしてない場合に前記タッチパネルディスプレイ６４に表示されるログイン認証画面１４２の一例を示す図である。例えば、図８に示す歌う人選択画面１３０において所定の利用者に対応する利用者ボタン１３２に対する接触操作が行われた場合であって、その利用者が未だ前記カラオケ装置１０における顧客情報管理システムにログインしてない場合には、前記タッチパネルディスプレイ６４に図９に示すようなログイン認証画面１４２が表示される。図９に示すように、このログイン認証画面１４２には、パスワード入力欄１４４及びログイン認証実行ボタン１４６が選択可能に表示される。また、好適には、ログイン認証の対象となる利用者のユーザＩＤは既に入力されている扱いとされる。すなわち、選曲入力された演奏曲の演奏主体である利用者が前記顧客データベース５８に記憶された内容から判定されているため、その利用者のユーザＩＤは特定されており、改めて利用者にユーザＩＤを入力させる手間をかけさせないように前記ログイン認証画面１４２においてはそのユーザＩＤの入力を省略する。換言すれば、ログイン認証の対象となる利用者は、パスワードの入力を行うだけでログイン認証を行うことができるようになっている。
【００４０】
図１０は、図９に示すログイン認証画面１４２においてパスワード入力欄１４４に対する接触操作が行われた場合に前記タッチパネルディスプレイ６４に表示されるパスワード入力画面１４８の一例を示す図である。図１０に示すように、このパスワード入力画面１４８には、アルファベット及び数字等の文字にそれぞれに対応する複数の文字ボタン１５０と、入力されたパスワードを決定するための決定ボタン１５２とが表示される。前記文字ボタン１５０（タッチパネル７０における文字ボタン１５０に対応する相対位置）に対する利用者の指や備え付けのペン等による接触操作が行われると、それら文字ボタン１５０によって示されるアルファベット乃至数字等の文字の入力が行われ、その入力が表示窓１５４に反映される（但し、パスワードであるため入力文字はそのまま表示されず、好適にはアスタリスク等で表される）。斯かる操作により所定の文字乃至文字列が入力された後、前記決定ボタン１５２に対する接触操作が行われると、その時点で入力されていた文字乃至文字列が入力されたパスワードとして受け付けられた後、図９に示すようなログイン認証画面１４２に復帰させられる。そして、パスワードの入力が行われた状態でこのログイン認証画面１４２におけるログイン認証実行ボタン１４６に対する接触操作が行われると、ログイン認証の対象となるユーザＩＤに対応付けられて前記顧客データベース５８に記憶されたパスワードが入力されたものと一致するか否かが判定される。この判定が肯定される場合には、正常なログイン認証が行われて図１１に示すようなログイン認証確認画面１５６が前記タッチパネルディスプレイ６４に表示されるが、判定が否定される場合すなわち入力されたパスワードが前記顧客データベース５８に記憶されたものと一致しない場合には、正常なログイン認証が行われず、図示しないエラー画面が前記タッチパネルディスプレイ６４に表示される。
【００４１】
図１２は、図６に示すママＶＩＰメニュー画面１００において前記うたぼんボタン１１４に対する接触操作が行われた場合に前記タッチパネルディスプレイ６４に表示される演奏曲検索画面１５８の一例を示す図である。この図１２に示す例では、曲名検索に係る演奏曲検索画面１５８を示しており、それぞれ個別の文字（例えば、五十音の文字やアルファベット等）を示す複数の文字ボタン１６０と、その文字ボタン１６０をかな文字に対応するものに切り替えるためのかなボタン１６２と、前記文字ボタン１６０を英数文字（アルファベット及び数字、図１０を参照）に切り替えるための英数ボタン１６４と、入力された文字を１字消去するための１字消去ボタン１６６と、入力された文字乃至文字列に対応する演奏曲の検索を開始するための検索ボタン１６８とが表示されている。この演奏曲検索画面１５８に表示された文字ボタン１６０（タッチパネル７０における文字ボタン１６０に対応する相対位置）に対する利用者の指や備え付けのペン等による接触操作が行われると、それら文字ボタン１６０によって示される文字乃至文字列の入力が行われ、入力された文字乃至文字列が前記演奏曲検索画面１５８の表示窓１７０に表示される。そして、所定の文字乃至文字列が入力された状態で前記検索ボタン１６８に対する接触操作が行われると、前記操作により入力された文字乃至文字列に基づいて、それらの文字乃至文字列に前方一致する曲名（歌手名検索である場合には歌手名）に対応する演奏曲が前記楽曲データベース５６から検索される等、前記カラオケ装置１０の利用者が歌いたいカラオケ演奏曲の検索が行われる。
【００４２】
図１３は、図１２に示すような演奏曲検索画面１５８に従って所定の演奏曲が検索された場合に前記タッチパネルディスプレイ６４に表示される予約確認画面１７２の一例を示す図である。前記演奏曲検索画面１５８において所定の文字乃至文字列が入力され、前記検索ボタン１６８に対する接触操作が行われる等して所定の演奏曲の検索が行われた場合、その演奏曲の選曲入力を確認する図１３に示すような予約確認画面１７２が前記タッチパネルディスプレイ６４に表示される。この予約確認画面１７２には、選曲入力を実行（確定）するための予約ボタン１７４が表示されており、この予約ボタン１７４に対する接触操作が行われると、前記無線ＬＡＮ通信部８６等により前記カラオケ装置１０に対して前記予約確認画面１７２の表示に係る演奏曲の選曲入力が行われる。ここで、好適には、前記予約ボタン１７４に対する接触操作が行われて対象となる演奏曲の選曲入力が行われた場合において、その選曲入力の主体である利用者が未だ前記カラオケ装置１０における顧客情報管理システムにログインしてない場合には、前述した図８〜図１１に示すような画面表示及びその画面表示に従っての入力操作により、その利用者のログイン認証制御が実行される。また、好適には、前記予約ボタン１７４に対する接触操作が行われて対象となる演奏曲の選曲入力が行われた場合において、その演奏曲と関連付けられて記憶された利用者例えば前記顧客データベース５８においてその演奏曲を十八番曲として登録した利用者や選曲履歴にその演奏曲を含む利用者が検索され、その利用者が未だ前記カラオケ装置１０における顧客情報管理システムにログインしてない場合には、前述した図８〜図１１に示すような画面表示及びその画面表示に従っての入力操作により、その利用者のログイン認証制御が実行される。更に、前記予約ボタン１７４に対する接触操作が行われて対象となる演奏曲の選曲入力が行われた場合において、その演奏曲と関連付けられて記憶された複数の利用者が検索される場合には、図８に示すように選曲入力の主体である利用者を選択させる画面を前記タッチパネルディスプレイ６４に表示させてもよい。
【００４３】
図１４は、図６に示すママＶＩＰメニュー画面１００において前記新規常連登録ボタン１０２に対する接触操作が行われた場合に前記タッチパネルディスプレイ６４に表示される新規常連登録画面１７６の一例を示す図である。図１４に示す例では、それぞれ個別の文字（例えば、五十音の文字やアルファベット等）を示す複数の文字ボタン１７８と、その文字ボタン１７８をかな文字に対応するものに切り替えるためのかなボタン１８０と、前記文字ボタン１７８を英数文字（アルファベット及び数字、図１０を参照）に切り替えるための英数ボタン１８２と、入力された文字を１字消去するための１字消去ボタン１８４と、入力された文字乃至文字列を決定するための決定ボタン１８６とが前記新規常連登録画面１７６に表示されている。この新規常連登録画面１７６に表示された文字ボタン１７８（タッチパネル７０における文字ボタン１７８に対応する相対位置）に対する利用者の指や備え付けのペン等による接触操作が行われると、それら文字ボタン１７８によって示される文字乃至文字列の入力が行われ、入力された文字乃至文字列が前記新規常連登録画面１７６の表示窓１８８に表示される。そして、所定の文字乃至文字列が入力された状態で前記決定ボタン１８６に対する接触操作が行われると、前記操作により入力された文字乃至文字列が新規登録される利用者の名前（ニックネーム）等として受け付けられる。そのようにして、新規登録される利用者に係る各種情報の入力が受け付けられた後、図１５に示すような新規常連登録確認画面１９０が前記タッチパネルディスプレイ６４に表示される。そして、この新規常連登録確認画面１９０における登録ボタン１９２に対する接触操作が行われた場合、その新規常連登録確認画面１９０に表示された内容で対象となる利用者が前記カラオケ装置１０における顧客情報管理システムすなわち前記顧客データベース５８に新規登録される。
【００４４】
図１６は、前記カラオケ装置１０における顧客情報管理システムに新たな利用者の登録が行われた場合に前記タッチパネルディスプレイ６４に表示される新規常連登録完了画面１９４の一例を示す図である。前記新規常連登録確認画面１９０における登録ボタン１９２に対する接触操作が行われる等して前記カラオケ装置１０における顧客情報管理システムすなわち前記顧客データベース５８に利用者の新規登録が行われた場合、図１６に示すような新規常連登録完了画面１９４が前記タッチパネルディスプレイ６４に表示される。この新規常連登録完了画面１９４において、好適には、新規登録された利用者の十八番曲の登録を行うための十八番曲登録ボタン１９６が表示される。この十八番曲登録ボタン１９６に対する接触操作が行われると、図示しない十八番曲登録画面が前記タッチパネルディスプレイ６４に表示され、その十八番曲登録画面に従って新規登録された利用者に係る十八番曲の登録受付制御が行われる。すなわち、前記顧客データベース５８における利用者の新規登録に際して、その利用者に十八番曲の登録を促す画面を前記タッチパネルディスプレイ６４に表示させる。このようにすれば、新規登録された利用者の十八番曲として少なくとも１つの演奏曲が登録されるため、次回の前記カラオケ装置１０の利用に際してはその演奏曲を選曲することで本実施例の簡便なログイン認証制御によりログイン認証を行うことができる。ここで、新規登録される利用者に対応して受け付けられる十八番曲が、前記顧客データベース５８に記憶された他の利用者の十八番曲と重複する場合には、その新規登録される利用者に対して他の演奏曲を十八番曲として選択するように指示してもよい。すなわち、各利用者に対応してログイン認証に用いるオリジナルな演奏曲としての十八番曲を設定するものであってもよい。このようにすれば、選曲入力された演奏曲に対応して複数の利用者がログイン候補として判定されることを好適に抑制できる。
【００４５】
図１７は、前記カラオケ装置１０に対する選曲入力が行われた場合に前記タッチパネルディスプレイ６４に表示される予約完了画面１９８の一例を示す図である。前記予約確認画面１７２における予約ボタン１７４に対する接触操作が行われる等して前記カラオケ装置１０に対する選曲入力が行われた場合、図１７に示すような予約完了画面１９８が前記タッチパネルディスプレイ６４に表示される。この予約完了画面１９８において、好適には、選曲入力の主体である利用者に対してその選曲入力された演奏曲を十八番曲として登録させるための十八番曲登録ボタン２００が表示される。この十八番曲登録ボタン２００に対する接触操作が行われると、選曲入力された演奏曲がその選曲入力の主体である利用者の十八番曲として前記顧客データベース５８に記憶される。このようにすれば、各利用者に対して十八番曲の登録を促すことで、本実施例の簡便なログイン認証制御をより実行し易くすることができる。また、前記十八番曲登録ボタン２００に対する接触操作が行われた場合であって、選曲入力の主体である利用者が特定されない場合には、その選曲入力の主体である利用者を選択させる図８に示すような画面やユーザＩＤの入力を促す画面を前記タッチパネルディスプレイ６４に表示させ、その表示に従って入力される情報に応じて前記選曲入力に係る演奏曲の十八番曲登録を行うものであってもよい。
【００４６】
図１８は、前記電子早見本装置６０のＣＰＵ７４による顧客情報管理制御の要部を説明するフローチャートであり、所定の周期で繰り返し実行されるものである。なお、この図１８に示す制御が前記カラオケ装置１０のＣＰＵ３２等により行われるものであってもよく、斯かる場合には前記タッチパネルディスプレイ４６が入力装置として好適に用いられる。
【００４７】
先ず、ステップ（以下、ステップを省略する）Ｓ１において、前記タッチパネルディスプレイ６４に表示された図６に示すようなママＶＩＰメニュー画面１００において前記ママ十八番ボタン１０８に対する接触操作が行われたか否かが判断される。このＳ１の判断が否定される場合には、それをもって本ルーチンが終了させられるが、Ｓ１の判断が肯定される場合には、Ｓ２において、図７に示すようなママ十八番画面１２２が前記タッチパネルディスプレイ６４に表示される。次に、Ｓ３において、前記ママ十八番画面１２２に表示された何れかの演奏曲ボタン１２４に対する接触操作が行われたか否かが判断される。このＳ３の判断が否定される場合には、Ｓ３の判断が繰り返されることにより待機させられるが、Ｓ３の判断が肯定される場合には、Ｓ４において、Ｓ３にて選択された演奏曲ボタン１２４に対応する演奏曲を十八番曲として登録する利用者及び選曲履歴に含む利用者が前記顧客データベース５８から検索され、検索された利用者のリストを含む図８に示すような歌う人選択画面１３０が前記タッチパネルディスプレイ６４に表示される。
【００４８】
次に、Ｓ５において、前記歌う人選択画面１３０に表示された何れかの利用者ボタン１３２に対する接触操作が行われたか否かが判断される。このＳ５の判断が否定される場合には、Ｓ５の判断が繰り返されることにより待機させられるが、Ｓ５の判断が肯定される場合には、Ｓ６において、Ｓ５にて選択された利用者ボタン１３２に対応する利用者を選曲主体として、Ｓ３にて選択された演奏曲ボタン１２４に対応する演奏曲の選曲入力が、前記無線ＬＡＮ通信部８６等を介して前記カラオケ装置１０に対して送信される。次に、Ｓ７において、選曲主体である利用者すなわちＳ５にて選択された利用者ボタン１３２に対応する利用者が、現時点において前記カラオケ装置１０による顧客情報管理システム（顧客データベース５８に係るシステム）に正常にログイン済みであるか否かが判断される。このＳ７の判断が肯定される場合には、それをもって本ルーチンが終了させられるが、Ｓ７の判断が否定される場合には、Ｓ８において、図９に示すようなログイン認証画面１４２が前記タッチパネルディスプレイ６４に表示される。
【００４９】
次に、Ｓ９において、前記ログイン認証画面１４２に表示されたパスワード入力欄１４４に対する接触操作が行われたか否かが判断される。このＳ９の判断が否定される場合には、Ｓ９の判断が繰り返されることにより待機させられるが、Ｓ９の判断が肯定される場合には、Ｓ１０において、図１０に示すようなパスワード入力画面１４８が前記タッチパネルディスプレイ６４に表示される。次に、Ｓ１１において、前記パスワード入力画面１４８に表示された決定ボタン１５２に対する接触操作が行われる等して入力に係るパスワードが決定された後、そのパスワードがログイン認証の対象である利用者すなわちＳ５にて選択された利用者ボタン１３２に対応する利用者に対応付けられて前記顧客データベース５８に記憶されたパスワードと一致するか否かが判断される。このＳ１１の判断が肯定される場合には、Ｓ１２において、ログイン認証の対象である利用者すなわちＳ５にて選択された利用者ボタン１３２に対応する利用者が前記カラオケ装置１０における顧客情報管理システムに正常のログインさせられた後、本ルーチンが終了させられるが、Ｓ１１の判断が否定される場合には、Ｓ１３において、前記タッチパネルディスプレイ６４にエラーである旨が表示された後、本ルーチンが終了させられる。以上の制御において、Ｓ３〜Ｓ６が前記選曲入力受付手段９０の動作に、Ｓ１〜Ｓ１３が前記顧客情報管理手段９２の動作に、Ｓ７〜Ｓ１３が前記ログイン認証制御手段９４の動作に、それぞれ対応する。
【００５０】
このように、本実施例によれば、入力装置である前記電子早見本装置６０等による入力操作に応じて前記カラオケ装置１０に対する前記演奏曲の選曲入力を受け付ける選曲入力受付手段９０（Ｓ３〜Ｓ６）と、前記カラオケ装置１０の利用者毎に各種情報を管理する顧客情報管理手段９２（Ｓ１〜Ｓ１３）と、前記選曲入力受付手段９０により選曲入力される演奏曲に基づいて、前記顧客情報管理手段９２に係る各利用者のログイン認証を実行するログイン認証制御手段９４（Ｓ７〜Ｓ１３）とを、備えたものであることから、所定の演奏曲の選曲入力が行われる際に、その演奏曲に対応する利用者のログイン認証を自動的に行うことで、各利用者を簡便に顧客情報管理システムにログインさせることができる。すなわち、利用者に係る各種情報を管理する顧客情報管理システムの利用を促進するカラオケ装置１０を提供することができる。
【００５１】
また、前記顧客情報管理手段９２は、前記カラオケ装置１０の利用者毎に前記演奏曲に関する情報をその利用者と関連付けて記憶するものであり、前記ログイン認証制御手段９４は、前記選曲入力受付手段９０により所定の演奏曲の選曲入力が行われる際、その演奏曲と関連付けられて記憶された利用者のログイン認証を実行するものであるため、所定の演奏曲の選曲入力が行われる際に、その演奏曲と関連付けられて記憶された利用者のログイン認証を自動的に行うことで、簡便且つ実用的な態様で各利用者を顧客情報管理システムにログインさせることができる。
【００５２】
また、前記顧客情報管理手段９２は、前記カラオケ装置１０の利用者毎に単数乃至複数の前記演奏曲を十八番曲として記憶するものであり、前記ログイン認証制御手段９４は、前記選曲入力受付手段９０により所定の演奏曲の選曲入力が行われる際、その演奏曲を十八番曲とする利用者のログイン認証を実行するものであるため、所定の演奏曲の選曲入力が行われる際に、その演奏曲を十八番曲として登録している利用者のログイン認証を自動的に行うことで、簡便且つ実用的な態様で各利用者を顧客情報管理システムにログインさせることができる。
【００５３】
また、前記顧客情報管理手段９２は、前記カラオケ装置１０の利用者毎に前記選曲入力受付手段９０により選曲入力される演奏曲の選曲履歴を記憶するものであり、前記ログイン認証制御手段９４は、前記選曲入力受付手段９０により所定の演奏曲の選曲入力が行われる際、その演奏曲が選曲履歴に含まれる利用者のログイン認証を実行するものであるため、所定の演奏曲の選曲入力が行われる際に、その演奏曲を過去に演奏したことがある利用者のログイン認証を自動的に行うことで、簡便且つ実用的な態様で各利用者を顧客情報管理システムにログインさせることができる。
【００５４】
以上、本発明の好適な実施例を図面に基づいて詳細に説明したが、本発明はこれに限定されるものではなく、更に別の態様においても実施される。
【００５５】
例えば、前述の実施例では、インターネット等の広域的な通信回線に接続されない非通信型のカラオケ装置１０に本発明が適用された例を説明したが、本発明はこれに限定されるものではなく、例えば、インターネット等の広域的な通信回線に接続された通信型カラオケ装置にも本発明は好適に適用される。すなわち、斯かる通信型カラオケ装置においても、例えば店舗の常連客等、対象となるカラオケ装置を用いる複数の利用者を対象とする、通信を前提としない（単体のカラオケ装置の中で閉じた）顧客情報管理システムを適用することが好ましい場合が考えられ、斯かる場合において本発明を適用することにより、前述した本発明の一応の効果が得られる。
【００５６】
また、前述の実施例において、前記ログイン認証制御手段９４は、前記選曲入力受付手段９０により所定の演奏曲の選曲入力が行われる際、その演奏曲を十八番曲とする利用者乃至その演奏曲が選曲履歴に含まれる利用者のログイン認証を実行するものであったが、必ずしも十八番曲や選曲履歴に基づいてログイン認証の対象となる利用者を判定するものでなくともよい。例えば、前記顧客データベース５８に登録された各利用者に対応してそれぞれ１つの演奏曲をテーマソングとして設定させる態様において、前記ログイン認証制御手段９４は、前記選曲入力受付手段９０により所定の演奏曲の選曲入力が行われる際、その演奏曲をテーマソングとする利用者のログイン認証を実行するものであってもよい。
【００５７】
また、前述の実施例では、前記選曲入力受付手段９０により所定の演奏曲の選曲入力が行われた際、その演奏曲を十八番曲とする利用者乃至その演奏曲が選曲履歴に含まれる利用者のログイン認証を実行するための図９に示すようなログイン認証画面１４２が前記タッチパネルディスプレイ６４に表示され、その表示に従ってパスワードの入力が行われることで対象となる利用者のログイン認証が行われるものであったが、例えば、前記選曲入力受付手段９０により所定の演奏曲の選曲入力が行われた際、その演奏曲を十八番曲とする利用者乃至その演奏曲が選曲履歴に含まれる利用者を自動的にログインさせるものであってもよい。換言すれば、図９に示すようなログイン認証画面１４２を表示させることなく、対象となる利用者の前記カラオケ装置１０における顧客情報管理システムへのログインを受け付けるものであってもよい。この場合、ログイン認証のためにパスワードは特に必要とされない。斯かる態様において、好適には、前記選曲入力受付手段９０により所定の演奏曲の選曲入力が行われた際に複数の利用者がログイン認証候補として判定されないように、各利用者に対応してログイン認証に用いられる演奏曲が前記顧客データベース５８に記憶されると共に、その演奏曲が他の利用者に係るログイン認証に用いられる演奏曲と重ならないようにその演奏曲の登録制御が行われる。
【００５８】
その他、一々例示はしないが、本発明はその趣旨を逸脱しない範囲内において種々の変更が加えられて実施されるものである。
【符号の説明】
【００５９】
１０：カラオケ装置、１２：映像表示装置、４６：タッチパネルディスプレイ（入力装置）、５０：リモコン装置（入力装置）、６０：電子早見本装置（入力装置）、９０：選曲入力受付手段、９２：顧客情報管理手段、９４：ログイン認証制御手段
【図１】
0005686762.tif 000002
【図２】
0005686762.tif 000003
【図３】
0005686762.tif 000004
【図４】
0005686762.tif 000005
【図５】
0005686762.tif 000006
【図６】
0005686762.tif 000007
【図７】
0005686762.tif 000008
【図８】
0005686762.tif 000009
【図９】
0005686762.tif 000010
【図１０】
0005686762.tif 000011
【図１１】
0005686762.tif 000012
【図１２】
0005686762.tif 000013
【図１３】
0005686762.tif 000014
【図１４】
0005686762.tif 000015
【図１５】
0005686762.tif 000016
【図１６】
0005686762.tif 000017
【図１７】
0005686762.tif 000018
【図１８】
0005686762.tif 000019